(57)【要約】【課題】  操作者の好みに応じて入力操作位置を変更することのできるリモコン装置を提供する。【解決手段】  入力手段１１が組み込まれ可撓性を具備するストラップ本体２と、ストラップ本体２と携帯用電子機器５とを接続する接続部材４とを備えるとともに、入力手段１１を少なくともストラップ本体の長手方向に移動可能に形成する。【選択図】      図１
2005072717.tif 000002
【特許請求の範囲】
【請求項１】
入力手段が組み込まれ可撓性を具備するストラップ本体と、前記ストラップ本体と携帯用電子機器とを接続する接続部材とを有するリモコン装置であって、
前記入力手段が、少なくとも前記ストラップ本体の長手方向に移動可能に形成されていることを特徴とするリモコン装置。
【請求項２】
前記入力手段が、複数の入力モードを有していることを特徴とする請求項１に記載のリモコン装置。
【請求項３】
前記入力手段が、前記ストラップ本体の長手方向に沿って配列された多数の接点を有していることを特徴とする請求項１または請求項２に記載のリモコン装置。
【請求項４】
前記入力手段が、前記ストラップ本体の一部を被覆する操作部材によって間接的に操作可能に形成されているとともに、
前記操作部材が、前記ストラップ本体の少なくとも長手方向に沿って移動可能に配設されているとともに、操作の目印が表面に設けられていることを特徴とする請求項１ないし請求項３のいずれか１項に記載のリモコン装置。
【発明の詳細な説明】
【技術分野】
【０００１】
本発明は、電気信号を介して携帯用電子機器の操作や情報の入力を遠隔操作するのに好適なリモコン装置（リモートコントロール装置）に関する。
【背景技術】
【０００２】
従来から、携帯用カセットレコーダなどの携帯用電子機器をリモコン装置により遠隔操作することが知られている。このようなリモコン装置として、本出願人は、携帯用音響機器に適用することができる柔軟性を有する紐状のストラップ本体を具備する外装部材に、操作部材を設けたものを提案している（例えば、特許文献１参照）。
【０００３】
また、本出願人は、優れた操作性と、ストラップ本体の小型化を実現できる首掛け型および手持ち型のリモコン装置を提案している（例えば、特許文献２参照）。
【０００４】
【特許文献１】特開２００１−２５８０７８号公報
【特許文献２】特願２００３−０６０３５６号
【発明の開示】
【発明が解決しようとする課題】
【０００５】
しかしながら、前述した従来のリモコン装置は、入力操作に用いる入力手段の位置が固定されており、操作者の好みに応じて入力操作位置を変更することができないという問題点があった。
【０００６】
本発明はこの点に鑑みてなされたものであり、操作者の好みに応じて入力操作位置を変更することのできるリモコン装置を提供することを目的とする。
【課題を解決するための手段】
【０００７】
前述した目的を達成するため、本発明のリモコン装置の特徴は、入力手段が組み込まれ可撓性を具備するストラップ本体と、前記ストラップ本体の入力手段と携帯用電子機器とを接続する接続部材とを有するリモコン装置であって、前記入力手段が少なくとも前記ストラップ本体の長手方向に移動可能に形成されている点にある。そして、このような構成を採用したことにより、入力操作位置を操作者の好みに応じて容易に変更することができる。
【０００８】
本発明のリモコン装置においては、入力手段が、複数の入力モードを有していることが好ましい。そして、このような構成を採用したことにより、複数の入力モードを携帯用電子機器に応じて割り当てることができるので、汎用性を容易に得ることができる。
【０００９】
本発明のリモコン装置においては、前記入力手段が、前記ストラップ本体の長手方向に沿って配列された多数の接点を有していることが好ましい。そして、このような構成を採用したことにより、携帯用電子機器に応じて使用する接点の位置および／または数を設定することによって、複数の入力モードを容易かつ確実に得ることができる。また、使用する接点の位置の設定によって、入力手段の位置、すなわち入力操作位置を操作者の好みの位置に設けることが容易かつ確実にできる。
【００１０】
本発明のリモコン装置においては、前記入力手段が、前記ストラップ本体の一部を被覆する操作部材によって間接的に操作可能に形成されているとともに、前記操作部材が、前記ストラップ本体の少なくとも長手方向に沿って移動可能に配設されているとともに、操作の目印が表面に設けられていることが好ましい。そして、このような構成を採用したことにより、操作部材は、入力手段の汚染を防止することができるとともに、操作部材をストラップ本体から取り外すことで洗浄あるいは交換を容易に行うことができる。さらに、目印は、入力手段に対する入力操作を容易にできる。
【発明の効果】
【００１１】
本発明に係るリモコン装置によれば、入力操作位置を操作者の好みに応じて容易に変更することができるなどの極めて優れた効果を奏する。
【発明を実施するための最良の形態】
【００１２】
以下、本発明を図面に示す実施形態により説明する。
【００１３】
図１から図４は本発明に係るリモコン装置の実施形態を示すものであり、図１は概略外観図、図２は入力操作部の要部を簡略化して示す一部拡大正面図であり、図３は操作部材の表面側を簡略化して示す一部拡大正面図であり、図４は操作部材の裏面側を簡略化して示す一部拡大正面図である。
【００１４】
本実施形態は、携帯用電子機器として、携帯用音響機器および携帯電話機の両者の操作に用いる首掛け型のものを例示している。
【００１５】
図１に示すように、本実施形態のリモコン装置１は、ストラップ本体２と、ストラップ本体２を環状に連結している連結部材３と、接続部材としての接続コード４とを有している。そして、接続コード４の先端には、携帯用電子機器５が接続されるようになっている。この携帯用電子機器５としては、携帯用カセットテーププレーヤ、携帯用ＭＤプレーヤ、携帯用ＣＤプレーヤなどの携帯用音響機器５Ａ、携帯電話機５Ｂ、携帯情報端末などを例示できる。
【００１６】
前記ストラップ本体２の一端側である図１の左端側には、連結部材３に隣位するように入力操作部６が設けられており、この入力操作部６の表面には、操作部材７が装着されている。なお、入力操作部６は、ストラップ本体２の他端側、あるいは両端に設けてもよい。
【００１７】
前記ストラップ本体２は、例えばＰＥＴ（ポリエチレンテレフタレート）あるいはＰＩ（ポリイミド）などの絶縁性を有する素材により形成された帯状の可撓性フィルムにより形成されている。
【００１８】
本実施形態の入力操作部６は、入力手段としての多数のメンブレンスイッチ１１を有しており、これらのメンブレンスイッチ１１の接点であるメンブレン接点１１ａが、ストラップ本体２の延在方向である図２の左右方向に示す長手方向に沿って所定のピッチにて配列されている。すなわち、入力手段は、ストラップ本体２の長手方向に沿って配列された多数の接点を有している。なお、メンブレンスイッチ１１は、ストラップ本体２の長手方向に沿って複列配置してもよい。また、図２には多数のメンブレンスイッチ１１のメンブレン接点１１ａの一部を簡略化して図示してある。
【００１９】
前記メンブレンスイッチ１１は、可動接点を配設した可動接点フィルムを押下面が押圧することにより、スペ−サの切り欠き部を介して、固定接点フィルムに配設された固定接点に可動接点が当接する構成とされている。また、メンブレンスイッチ１１は、ストラップ本体２を構成する帯状の可撓性フィルムによって両面が挟持されるように固定されており、これにより、ストラップ本体２に入力手段としてのメンブレンスイッチ１２が組み込まれている。さらに、各メンブレンスイッチ１１は、図示しない導体回路によって連結部材３を介して接続コード４に電気的に接続されており、メンブレン接点１１ａの操作情報を携帯用電子機器５に送信することができるように形成されている。
【００２０】
なお、入力手段としては、多数の接点を具備し、かつ全体として可撓性を有するものであればよい。
【００２１】
前記操作部材７は、入力手段を構成するメンブレンスイッチ１１を間接的に操作するためのものであり、柔軟性のある素材、例えば布、樹脂、皮革などで形成されている。この操作部材７は、ストラップ本体２の一部、本実施形態においては少なくとも入力操作部６を被覆するように装着されている。また、操作部材７は、ストラップ本体２を挟持することで、ストラップ本体２に保持されているとともに、ストラップ本体２の長さより短く形成されており、必要に応じて少なくともストラップ本体２の長手方向に沿って移動可能とされている。そして、操作部材７の外面には、記号などの目印１２が設けられている。なお、操作部材７を、ストラップ本体２に対して回転可能としてもよい。
【００２２】
前記目印１２は、複数の入力モードに対応するように形成されている。本実施形態の目印１２は、オーディオモードおよびテレホンモードの２種類の入力モードに対応するように、操作部材７の一面側にはオーディオモードの入力操作に必要な目印１２が形成され、他面である裏面側にはテレホンモードの入力操作に必要な目印１２が形成されている。なお、各入力モードの設定については後述する。
【００２３】
前記オーディオモードとは、携帯用電子機器５の一種である携帯用音響機器５Ａのリモートコントロール操作を行うためのものであり、オーディオモードの入力操作に用いる目印１２としては、例えば図３に示すように、停止、再生、曲送り、逆曲送りなどの各種の入力操作およびその操作位置をあらわす複数の第１マーク１２ａにより形成されており、これらの第１マーク１２ａが所定のピッチで操作部材７の表面側に配列されている。
【００２４】
前記テレホンモードとは、携帯用電子機器５の他の一種である携帯電話機５Ｂなどのリモートコントロール操作を行うためのものであり、テレホンモードの入力操作に用いる目印１２としては、例えば図４に示すように、０〜９の数値などの各種の入力操作およびその操作位置をあらわす複数の第２マーク１２ｂにより形成されており、これらの第２マーク１２ｂが所定のピッチで操作部材７の裏面側に配列されている。
【００２５】
前記第１マーク１２ａのピッチと第２マーク１２ｂのピッチとは相互に異なるように形成されている。
【００２６】
なお、操作部材７としては、ストラップ本体２に対して着脱自在とすることが操作部材７が汚染した際の洗浄や、交換などを容易に行うことができるという意味で好ましい。この操作部材７をストラップ本体２に対して着脱する構成としては、操作部材７を平板状に形成し、ストラップ本体２の長手方向に対して直交する方向の端部をファスナー、チャックなどによって開閉させる構成や、ストレッチ性の素材により径方向に伸縮自在な円筒形状に形成し、連結部材３からストラップ本体２を外すことにより、操作部材７をストラップ本体２に対して着脱させる構成などを例示できる。
【００２７】
また、入力モードとしては、３種類以上とすることができる。この場合、操作部材７を複数用いるとよい。
【００２８】
本実施形態のリモコン装置１の入力手段としてのメンブレンスイッチ１１から送出される操作信号である操作情報は、接続コード４を介して接続された携帯用電子機器５の制御部５ａに送信され、この操作情報に基づいて携帯用電子機器５の動作制御が行われるようになっている。また、携帯用電子機器５の制御部５ａは、例えばＣＰＵ、適宜な容量のＲＯＭ、ＲＡＭなどのメモリなどにより構成されている。そして、メモリには、少なくともリモコン装置１の入力手段から送信された操作情報に基づいて、携帯用電子機器５の動作制御を行うプログラムや、リモコン装置１の入力手段の入力モードおよび操作位置などの設定を行うプログラムや、各種のプログラムを実行するのに必要な各種のデータなどが記憶されるようになっている。
【００２９】
前記リモコン装置１の入力手段の入力モードおよび操作位置などの設定を行うプログラムとしては、リモコン装置１のイニシャルモードとして、リモコン装置１の入力手段の入力モード、その入力モードに用いる接点のパターン（多数のメンブレン接点１１ａのうち使用に供する接点の数とピッチ）および使用する接点により制御される動作を予め設定したものを例示できる。
【００３０】
例えば、リモコン装置１の入力手段が予めオーディオモードで使用できるように、入力手段の入力モードのイニシャルモードをオーディオモードとし、多数のメンブレン接点１１ａのうちオーディオモードで使用するすべての接点のパターン、本実施形態においては数およびピッチと、接点により制御される動作が、操作部材７の外面に形成されている第１マーク１２ａと対応するように予め設定されており、リモコン装置１の設定時には、起点となる接点を押圧操作することにより、オーディオモードで使用するすべての接点とその位置が自動的に設定されるようになっている。
【００３１】
また、起点となる接点とオーディオモードで使用する接点を除く他の接点を押圧操作した場合は、リモコン装置１の入力手段をテレホンモードとし、リモコン装置１の入力手段がテレホンモードで使用できるように、多数のメンブレン接点１１ａのうちテレホンモードで使用するすべての接点のパターン、本実施形態においては数およびピッチと、接点により制御される動作が、操作部材７の外面に形成されている第２マーク１２ｂと対応するように設定されるとともに、テレホンモードで使用するすべての接点とその位置が自動的に設定されるようになっている。
【００３２】
したがって、本実施形態においては、携帯用電子機器５の種類などに応じて、多数のメンブレンスイッチ１１の一部が入力手段として用いられるようになっている。
【００３３】
なお、各入力モードで使用する接点のパターン（数、ピッチなど）と、各接点により制御される動作パターンを、操作部材７の外面に形成されている目印１２と対応させることが、リモコン装置１の設定時の操作を簡単にすることができるという意味で好ましい。
【００３４】
また、入力手段としてのメンブレンスイッチ１１を、ストラップ本体２の表裏両面に設ける構成としてもよい。例えば、図３に示すオーディオモードの入力操作に用いる入力手段をストラップ本体２の表面に設け、図４に示すテレホンモードの入力操作に用いる入力手段をストラップ本体２の裏面に設けることができる。そして、このような構成を採用したことにより、入力モードの切り換えを容易に行うことができる。
【００３５】
その他の構成については、従来のものと同一なのでその詳しい説明については省略する。
【００３６】
つぎに、前述した構成からなる本実施形態の作用について説明する。
【００３７】
本実施形態のリモコン装置１は、図１に示すように、接続コード４を携帯用電子機器５に接続することにより使用に供する。
【００３８】
本実施形態のリモコン装置１を携帯用音響機器５Ａに使用する場合の設定操作について説明する。
【００３９】
本実施形態のリモコン装置１の設定操作は、接続コード４に接続した携帯用電子機器５としての携帯用音響機器５Ａの制御部５ａに搭載されたプログラムおよび操作部材７の表面側に設けられた第１マーク１２ａを用いて行う。
【００４０】
最初に、操作者は、本実施形態のリモコン装置１の接続コード４を携帯用電子機器５としての携帯用音響機器５Ａに接続する。
【００４１】
ついで、操作者は、操作部材７をストラップ本体２の長手方向に沿って移動し、視認方向正面側に位置している視認可能な、図３に示す操作部材７の表面側に形成されている複数の第１マーク１２ａを好みの操作位置に配置する。
【００４２】
ついで、操作者は、操作部材７の複数の第１マーク１２ａのうち所定のマーク、例えば停止マークを押圧する。この停止マークの押圧により、停止マークの背面に配置されているメンブレン接点１１ａが動作し、操作信号である操作情報が携帯用音響機器５Ａの制御部５ａに送信される。
【００４３】
ついで、操作信号を受けた携帯用音響機器５Ａの制御部５ａは、入力手段の入力モードを予め設定されているイニシャルモードであるオーディオモードとし、多数のメンブレン接点１１ａのうちオーディオモードで使用する接点の数、パターンおよび各接点の押圧操作による携帯用音響機器５Ａの制御動作を、操作部材７に形成されている複数の第１マーク１２ａと対応するように自動的に設定する。この時、ストラップ本体２に対する操作部材７の位置設定によって、オーディオモードにおける操作に用いるメンブレン接点１１ａの位置をパターンを変えずに可変とすることができる。その結果、オーディオモードで使用する入力手段を容易に移動することができることになる。すなわち、ストラップ本体２に対する操作部材７の移動により、オーディオモードにおける操作に用いるメンブレン接点１１ａの数およびパターンを、ストラップ本体２の長手方向に沿ってずらすことが容易にできる。
【００４４】
なお、オーディオモードで使用する接点を、複数の第１マーク１２ａを各々押圧操作することで手動設定することも可能である。但し、設定に手間を要する。また、複数の第１マーク１２ａを各々押圧操作することで、入力モードの設定を行うこともできる。すなわち、第１マーク１２ａのピッチが第２マーク１２ｂのピッチと異なるので、使用する接点の数および／またはピッチの違いに基づいて、入力モードを判別して設定することが可能である。
【００４５】
つぎに、本実施形態のリモコン装置１を携帯電話機５Ｂに使用する場合の設定操作について説明する。
【００４６】
本実施形態のリモコン装置１の設定操作は、接続コード４に接続した携帯用電子機器５としての携帯電話機５Ｂの制御部５ａに搭載されたプログラムおよび操作部材７の裏面側に設けられた第２マーク１２ｂを用いて行う。
【００４７】
最初に、操作者は、ストラップ本体２に対して操作部材７を着脱操作あるいは長手方向に対して直交する方向に半回転させるなどの操作により、図４に示す操作部材７の裏面側に形成されている複数の第２マーク１２ｂが視認方向正面側となるように位置させる。
【００４８】
ついで、操作者は、本実施形態のリモコン装置１の接続コード４を携帯用電子機器５としての携帯電話機５Ｂに接続する。
【００４９】
なお、操作者による操作部材７の反転操作と接続コード４の接続操作はどちらが先であってもよい。
【００５０】
ついで、操作者は、操作部材７をストラップ本体２の長手方向に沿って移動し、視認方向正面側に位置している視認可能な、図４に示す操作部材７の背面側に形成されている複数の第２マーク１２ｂを好みの操作位置に配置する。
【００５１】
ついで、操作者は、操作部材７の複数の第２マーク１２ｂのうち所定のマーク、例えば数値の０マークを押圧する。この０マークの押圧により、０マークの背面に配置されているメンブレン接点１１ａが動作し、操作信号（操作情報）が携帯電話機５Ｂの制御部５ａに送信される。この時、携帯電話機５Ｂの制御部５ａは、入力手段の入力モードを予め設定されているイニシャルモードであるオーディオモードとして設定する。
【００５２】
ついで、操作者は、他のマーク、例えば０マークに隣位する１マークを押圧する。この１マークの押圧により、１マークの背面に配置されているメンブレン接点１１ａが動作し、操作信号が携帯用音響機器５Ａの制御部５ａに送信される。この時、第１マーク１２ａと第２マーク１２ｂとのピッチが異なるので、１マークの押圧により、オーディオモードでは使用されない位置のメンブレン接点１１ａが動作し、この接点からの操作信号により、携帯電話機５Ｂの制御部５ａは、入力モードをテレホンモードと判断し、入力手段をテレホンモードに設定する。すなわち、多数のメンブレン接点１１ａのうちテレホンモードで使用する接点の数、パターンおよび各接点の押圧操作による携帯電話機５Ｂの制御動作を、操作部材７に形成されている複数の第２マーク１２ｂと対応するように自動的に設定する。この時、ストラップ本体２に対する操作部材７の位置設定によって、テレホンモードにおける操作に用いるメンブレン接点１１ａの位置をパターンを変えずに可変とすることができる。その結果、テレホンモードで使用する入力手段を容易に移動することができる。すなわち、ストラップ本体２に対する操作部材７の移動により、テレホンモードにおける操作に用いるメンブレン接点１１ａの数およびパターンを、ストラップ本体２の長手方向に沿ってずらすことが容易にできる。
【００５３】
なお、テレホンモードで使用する接点を、複数の第２マーク１２ｂを各々押圧操作することで手動設定することも可能である。
【００５４】
したがって、本実施形態のリモコン装置１の多数のメンブレンスイッチ１１は、オーディオモードにおける入力手段およびテレホンモードにおける入力手段として機能する。すなわち、本実施形態のリモコン装置１は、複数の入力手段を有しており、複数種の携帯用電子機器５に用いることのできる汎用性を有している。
【００５５】
以上説明したように、本実施形態のリモコン装置１によれば、ストラップ本体２に対する操作部材７の位置設定によって、各入力モードにおける操作に用いるメンブレン接点１１ａの位置をパターンを変えずに可変とすることができる。その結果、入力操作に用いる入力手段の位置を容易に移動できるので、入力操作位置を操作者の好みに応じて変更することが容易にできる。
【００５６】
本実施形態のリモコン装置１によれば、入力手段としてのメンブレンスイッチ１１が複数、本実施形態においてはオーディオモードおよびテレホンモードの２種類の入力モードを有しているので、２種類の入力モードを携帯用電子機器５としての携帯用音響機器５Ａおよび携帯電話機５Ｂに割り当てることができる。
【００５７】
よって、本実施形態のリモコン装置１によれば、汎用性を容易に得ることができる。
【００５８】
本実施形態のリモコン装置１によれば、入力手段が、ストラップ本体２の長手方向に沿って配列された多数のメンブレン接点１１ａを有しているので、携帯用電子機器５に応じて使用する接点の位置および／または数を設定することによって、複数の入力モードを容易かつ確実に得ることができるとともに、使用する接点の位置の設定によって、入力手段の位置、すなわち入力操作位置を操作者の好みの位置に設けることが容易かつ確実にできる。
【００５９】
本実施形態のリモコン装置１の操作部材７によれば、入力手段の汚染を防止することができるとともに、操作部材７をストラップ本体２から取り外すことで洗浄あるいは交換を容易に行うことができる。
【００６０】
本実施形態のリモコン装置１の操作部材７の目印１２によれば、入力手段に対する入力操作を容易にできる。
【００６１】
なお、本発明は、前述した実施の形態に限定されるものではなく、必要に応じて種々の変更が可能である。例えば、手持ち型としてもよい。
【図面の簡単な説明】
【００６２】
【図１】本発明に係るリモコン装置の実施形態の要部を示す概略外観図
【図２】図１の入力操作部の要部を簡略化して示す一部拡大正面図
【図３】図１の操作部材の表面側を簡略化して示す一部拡大正面図
【図４】図１の操作部材の裏面側を簡略化して示す一部拡大正面図
【符号の説明】
【００６３】
１  リモコン装置
２  ストラップ本体
３  連結部材
４  接続コード
５  携帯用電子機器
５ａ  制御部
５Ａ  携帯用音響機器
５Ｂ  携帯電話機
６  入力操作部
７  操作部材
１１  メンブレンスイッチ
１１ａ  メンブレン接点
１２  目印
１２ａ  第１マーク
１２ｂ  第２マーク
【図１】
2005072717.tif 000003
【図２】
2005072717.tif 000004
【図３】
2005072717.tif 000005
【図４】
2005072717.tif 000006